(57)【要約】【課題】専用の入れ物を不要として身近な入れ物で簡便に水を濾過することのできる濾過器を得る。【解決手段】外側フィルター３の内側に所定間隔を設けて内側フィルター２を配置して二重壁構造の容器体４を形成し、内側フィルター２と外側フィルター３との間に形成された密閉空間Ｓ内に濾過材５を充填して濾過器１を構成し、濾過器１を任意の入れ物に載置した状態で使用することができるようにした。【選択図】図１
2011036753.tif 000002
【特許請求の範囲】
【請求項１】
内側フィルターと外側フィルターとを備え、それら両フィルター間に密閉空間が形成された二重壁構造の容器体を形成し、前記密閉空間内に濾過材を充填したことを特徴とする濾過器。
【請求項２】
前記容器体は、側面がテーパ状に形成されており、その拡径側に開放口が形成されていることを特徴とする請求項１に記載の濾過器。
【請求項３】
前記容器体は、前記外側フィルターの前記開放口側の外周部に、１つ以上のタブが設けられていることを特徴とする請求項１または請求項２に記載の濾過器。
【請求項４】
前記内側フィルターの透水性を前記外側フィルターの透水性よりも高くしたことを特徴とする請求項１〜３のうちいずれか１項に記載の濾過器。
【請求項５】
前記濾過材は、少なくともミネラル成分を含有したミネラル濾材を含んでいることを特徴とする請求項１〜４のうちいずれか１項に記載の濾過器。
【発明の詳細な説明】
【技術分野】
【０００１】
本発明は、濾過器に関する。
【背景技術】
【０００２】
従来、濾過器として、ポットタイプのものが知られている（たとえば、特許文献１参照）。
【０００３】
この特許文献１では、ポット本体内に隔壁を設けて原水を収容する原水室と浄水を収容する浄水室とに画成するとともに、原水室と浄水室とをカーリッジ式のフィルターを介して連通し、原水室内に収容した原水をフィルターで濾過して浄水を生成し、浄水室内に収容するようにしている。
【先行技術文献】
【特許文献】
【０００４】
【特許文献１】特表２００７−５３３４３６号公報
【発明の概要】
【発明が解決しようとする課題】
【０００５】
しかしながら、かかる従来の濾過器は、ポットタイプとして構成されており、カートリッジ式のフィルターは隔壁の底部に組み込むことができるように予め決められた形状に設計されている。そのため、原水を濾過するためには、上述した専用のポット本体を用いねばならず、それ以外の入れ物の代替え使用ができなかった。また、カートリッジ式のフィルターは隔壁の底部に組み込まれるものであるため、フィルター自体を単独で使用することも不可能であった。
【０００６】
そこで、本発明は、専用の入れ物を不要として身近な入れ物で簡便に水を濾過することのできる濾過器を得ることを目的とする。
【課題を解決するための手段】
【０００７】
請求項１の発明にあっては、内側フィルターと外側フィルターとを備え、それら両フィルター間に密閉空間が形成された二重壁構造の容器体を形成し、前記密閉空間内に濾過材を充填したことを特徴とする。
【０００８】
請求項２の発明にあっては、請求項１に記載の濾過器において、前記容器体は、側面がテーパ状に形成されており、その拡径側に開放口が形成されていることを特徴とする。
【０００９】
請求項３の発明にあっては、請求項１または請求項２に記載の濾過器において、前記容器体は、前記外側フィルターの前記開放口側の外周部に、１つ以上のタブが設けられていることを特徴とする。
【００１０】
請求項４の発明にあっては、請求項１〜３のうちいずれか１項に記載の濾過器において、前記内側フィルターの透水性を前記外側フィルターの透水性よりも高くしたことを特徴とする。
【００１１】
請求項５の発明にあっては、請求項１〜４のうちいずれか１項に記載の濾過器において、前記濾過材は、少なくともミネラル成分を含有したミネラル濾材を含んでいることを特徴とする。
【発明の効果】
【００１２】
請求項１の発明によれば、内側フィルターと外側フィルターとからなる二重壁構造の容器体の開放口から原水を注水すると、原水が容器体の内方に溜まるとともに、溜まった原水が内側フィルターおよび外側フィルターを通過して下方に落下する。このとき、それら両フィルター間に形成された密閉空間内に濾過材が充填されているため、内側フィルターから外側フィルターを通過する原水は、濾過材によって濾過されて浄水となって容器体から落下することとなる。そして、落下する浄水は、容器体を載置することのできる任意の入れ物によって受けることができる。
【００１３】
このように、請求項１の発明によれば、原水を濾過するための専用の入れ物が不要となり、身近なコップなどの入れ物で簡便に水を濾過することができる。
【００１４】
請求項２の発明によれば、容器体の側面をテーパ状に形成し、その拡径側に開放口を形成したため、テーパ状に形成された側面を任意の入れ物の口に嵌め込んだ状態で載置することが可能となり、任意の入れ物に載置した際の容器体の安定性を確保することができるようになる。
【００１５】
また、側面をテーパ状とすることにより、複数個の容器体を容易に重ねることが可能となり、濾過性能をより容易に向上させることができるようになる。
【００１６】
請求項３の発明によれば、外側フィルターの開放口側の外周部に、１つ以上のタブを設けることで、タブを把持することができるため、濾過器の取り扱い性が向上する。
【００１７】
請求項４の発明によれば、内側フィルターの透水性が外側フィルターの透水性よりも高くなっているため、内側フィルターの目詰まりを抑制することができ、安定した濾過処理が行い易くなる。
【００１８】
請求項５の発明によれば、濾過材が、少なくともミネラル成分を含有したミネラル濾材を含んでいるので、原水が濾過材を通過する際に、ミネラル濾材に含有されたミネラル成分が溶出される。これにより、濾過材によって原水を濾過させつつミネラル成分を添加させることができ、ミネラル入りの浄水を容易に作り出すことができる。
【図面の簡単な説明】
【００１９】
【図１】図１は、本発明の第１実施形態にかかる濾過器の断面図である。
【図２】図２は、図１に示す濾過器の使用状態を示す断面図である。
【図３】図３は、図１に示す濾過器の１つの使用態様を示す断面図である。
【図４】図４は、本発明の第２実施形態にかかる濾過器の断面図である。
【図５】図５は、図４に示す濾過器の使用状態を示す断面図である。
【図６】図６は、本発明の第３実施形態にかかる濾過器の断面図である。
【図７】図７は、本発明の第４実施形態にかかる濾過器の断面図である。
【図８】図８は、図７に示す濾過器の変形例を示す断面図である。
【図９】図９は、濾過器の変形例を示す図であって、（ａ）は平面図、（ｂ）は正面図、（ｃ）は側面図、（ｄ）は、図９（ｂ）のＡ−Ａ断面図である。
【発明を実施するための形態】
【００２０】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２１】
（第１実施形態）
本実施形態にかかる濾過器１は、図１に示すように、内側フィルター２と外側フィルター３とによって二重壁構造の容器体４を構成し、その二重壁内に濾過材５を充填することにより形成されている。
【００２２】
容器体４は、側面４１が一定の角度をもったテーパ状に形成されており、その拡径側（図１中上方側）に開放口４２が形成されている。本実施形態では、この容器体４は、中空円錐状に形成されている。したがって、上述した内側フィルター２および外側フィルター３はそれぞれ円錐状に形成されており、外側フィルター３の内側に所定間隔を設けて内側フィルター２が配置されている。このとき、外側フィルター３の開放口４２側から延設した周縁部３１を内側フィルター２の開放口４２側に折り返して、周縁部３１で内側フィルター２と外側フィルター３との間を閉塞することにより、内側フィルター２と外側フィルター３との間に密閉空間Ｓが形成されるようになっている。そして、密閉空間Ｓ内に上述した濾過材５を充填している。
【００２３】
なお、外側フィルター３の折り返した周縁部３１は、その内周部が内側フィルター２の開放口４２側の端面に熱溶着や接着により固着している。本実施形態では、外側フィルター３から延設した周縁部３１で内側フィルター２と外側フィルター３との間を閉塞したが、内側フィルター２の開放口４２側から周縁部を延設し、その周縁部で内側フィルター２と外側フィルター３との間を閉塞するようにしてもよい。
【００２４】
内側フィルター２および外側フィルター３は、ポリエステル製の不織布、メッシュ、濾紙、濾過布などの透水性フィルターでそれぞれ形成されている。また、濾過材５としては、粒状活性炭、繊維状活性炭、イオン交換樹脂、イオン交換繊維、キレート剤、セラミック製吸着濾材などを用いることが可能であり、それぞれを単独で、もしくは複数を混合して用いることができる。
【００２５】
本実施形態にかかる濾過器１を用い、容器体４の開放口４２から原水を注水すると、原水が容器体４の内側に一旦溜められ、溜められた原水は内側フィルター２および外側フィルター３を通過して下方に落下する。このとき、内側フィルター２および外側フィルター３によって大きめの異物を除去することができる。また、両フィルター２、３間に形成された密閉空間Ｓ内には濾過材５を充填しているため、内側フィルター２から外側フィルター３を通過する原水は、この濾過材５によって濾過されて浄水となって容器体４から落下する。
【００２６】
したがって、濾過器１を任意の入れ物、たとえば、図２に示すように、マグカップなどの入れ物６の口６１に載置した状態で使用することにより、その入れ物６に浄水を直接溜めて飲用することができる。
【００２７】
以上の本実施形態によれば、内側フィルター２から外側フィルター３を通過する原水は、濾過材５によって濾過されて浄水となって容器体４から落下するため、濾過器１自体で濾過機能を発揮することができる。
【００２８】
また、本実施形態によれば、落下する浄水を、容器体４を載置できる任意の入れ物６によって受けることができるため、原水を濾過するための専用の入れ物が不要となり、身近なコップなどの入れ物６で簡便に水を濾過することができる。このとき、内側フィルター２および外側フィルター３を柔軟性を有する材質で形成すれば、濾過器１を２つ折りするなどして折り畳むことができるようになり、保管性や携帯性に優れたものとなる。
【００２９】
また、本実施形態によば、濾過器１の容器体４を中空円錐状に形成し、その側面４１を一定の角度をもったテーパ状に形成しているため、図２に示すように、側面４１を任意の入れ物６の口６１に嵌め込んだ状態で載置することができるようになり、容器体４の安定性を確保することができる。このとき、容器体４の下部の尖端部Ａを鋭角にすることで、外側フィルター３を伝って水が落下し易くなるため、濾過スピードをより速くすることができる。
【００３０】
さらに、容器体４の側面４１を一定の角度をもったテーパ状に形成することで、図３に示すように、複数個の容器体４を重ねることが容易になり、容器体４を複数段重ねて使用する場合、それぞれの濾過器１の濾過材５を原水が通過するため、濾過性能をより一層向上させることができる。
【００３１】
（第２実施形態）
本実施形態にかかる濾過器１Ａは、図４に示すように、基本的に上記第１実施形態の濾過器１と同様の構成をしており、内側フィルター２と外側フィルター３とによって二重壁構造の容器体４を形成し、その二重壁内に濾過材５を充填している。
【００３２】
ここで、本実施形態が上記第１実施形態と主に異なる点は、外側フィルター２の開放口４２側の外周部３ａに、複数のタブ７を適宜間隔をもって設けたことにある。なお、タブ７は、１つであってもよい。
【００３３】
また、タブ７は、外側フィルター２を形成する際に、外側フィルター２から一体に延長させて形成してもよく、別体に形成したタブ７を熱溶着や接着などにより取り付けるようにしてもよい。
【００３４】
本実施形態では、タブ７は、開放口４２側の外周部３ａの対向位置に一対設けられており、内部に穴７１が開口したリング状に形成されている。また、タブ７は、当該タブ７を持って濾過器１Ａを持ち上げた際に容易に変形しない程度の剛性を有するようにするのが好ましい。
【００３５】
以上の本実施形態によっても、上記第１実施形態と同様の作用、効果を奏することができる。
【００３６】
また、本実施形態によれば、外側フィルター３の開放口４２側の外周部３ａに、１つ以上のタブ７を設けたため、タブ７を把持することができ、濾過器１Ａの取り扱い性を向上させることができる。また、タブ７をリング状としたため、タブ７の穴７１を引っ掛けて吊るすことも可能となり、濾過器１を使用する際の自由度をより向上させることができる。
【００３７】
また、本実施形態によれば、少なくとも一対のタブ７を開放口４２側の外周部３ａの対向位置に設けているため、図５に示すように、濾過器１Ａよりも入れ物６Ａが大径である場合にも、箸などの棒８を一対のタブ７の穴７１に挿通して濾過器１Ａを支持し、その棒８の両端部を大径の入れ物６Ａの口６１に差し渡して引っかけて使用することができるようになる。
【００３８】
（第３実施形態）
本実施形態にかかる濾過器１Ｂも、図６に示すように、基本的に上記第１実施形態の濾過器１と同様の構成となっており、内側フィルター２Ｂと外側フィルター３Ｂとによって二重壁構造の容器体４を形成し、その二重壁内に濾過材５を充填している。
【００３９】
ここで、本実施形態が上記第１実施形態と主に異なる点は、内側フィルター２Ｂの透水性を外側フィルター３Ｂの透水性よりも高くしたことにある。透水性とは、水を通過させる性能で、透水性が高くなることは透水係数が大きくなることであって、フィルターの目が大きくなって水を通過させ易くなることを意味する。つまり、本実施形態では、内側フィルター２Ｂの目の大きさが外側フィルター３Ｂの目の大きさよりも大きくなっている。
【００４０】
以上の本実施形態によっても、上記第１実施形態と同様の作用、効果を奏することができる。
【００４１】
また、本実施形態によれば、内側フィルター２Ｂの透水性が外側フィルター３Ｂの透水性よりも高くなっているので、内側フィルター２Ｂの目詰まりを抑制することができ、安定した濾過処理が行い易くなる。
【００４２】
なお、本実施形態では上記第１実施形態に適用した場合を示したが、第２実施形態に本実施形態の構成を適用することができる。
【００４３】
（第４実施形態）
本実施形態にかかる濾過器１Ｃも、図７に示すように、基本的に上記第１実施形態の濾過器１と同様の構成となっており、内側フィルター２と外側フィルター３とによって二重壁構造の容器体４を形成し、その二重壁内に濾過材５Ｃを充填している。
【００４４】
ここで、本実施形態が上記第１実施形態と主に異なる点は、濾過材５Ｃに、少なくともミネラル成分を含有したミネラル濾材５１が含まれるようにしたことにある。本実施形態では、ミネラル濾材５１と浄水用濾材５２とを混合した濾過材５Ｃを充填したものを用いている。
【００４５】
なお、ミネラル濾材５１とは、濾過材にミネラル成分を含有させたもので、濾過機能とミネラル成分の溶出機能とを合わせ持っている。また、ミネラル濾材５１に含有されるミネラル成分とは、一般に知られるカルシウムやマグネシウムあるいはナトリウムなどの人体に有益な成分である。さらに、浄水用濾材５２は、上記第１〜第３実施形態に示した濾過材５と同様のものである。
【００４６】
以上の本実施形態によっても、上記第１実施形態と同様の作用、効果を奏することができる。
【００４７】
また、本実施形態によれば、濾過材５Ｃに、ミネラル濾材５１と浄水用濾材５２とを混合したものを用いたので、原水が濾過材５Ｃを通過する際に、ミネラル濾材５１に含有されたミネラル成分が溶出される。これにより、濾過材５Ｃによって原水を濾過しつつミネラル成分を添加して、ミネラル入りの浄水を作り出すことができる。
【００４８】
なお、本実施形態では上記第１実施形態に適用した場合を示したが、第２および第３実施形態にあっても本実施形態の構成を適用することができる。
【００４９】
図８は、第４実施形態の変形例を示しており、本変形例では、濾過材５Ｄをミネラル濾材５１のみで構成した濾過器１Ｄを用いる場合を例示している。
【００５０】
本変形例では、濾過器１Ｄは、図８に示すように、第１実施形態に示す濾過器１（第２・第３実施形態に示す濾過器１Ａ、１Ｂであってもよい。）、つまり濾過材５のみを用いた濾過器１と重ねて用いるようにしている。このとき、ミネラル濾材５１のみを用いた濾過器１Ｄは、濾過材５のみを用いた濾過器１の下側に配置している。
【００５１】
このように、本変形例にかかる濾過器１Ｄによれば、濾過器１Ｄを単独で用いることも可能であるが、図８に示すように、濾過材５のみを用いた濾過器１と併用することにより濾過機能の向上を図ることができる。
【００５２】
すなわち、本実施形態にかかる濾過器１Ｄを単独で用いた場合は、原水が濾過材５Ｄを通過する際に、ミネラル濾材５１に含有されたミネラル成分が溶出されるので、ミネラル濾材５１の濾過機能と相俟ってミネラル入りの浄水を作り出すことができる。
【００５３】
また、図８に示すように、本実施形態にかかる濾過器１Ｄと濾過材５のみを用いた濾過器１とを併用した場合には、濾過器１で濾過された浄水が濾過器１Ｄを通過する際に当該浄水にミネラル成分が添加されることになる。したがって、この場合は、濾過材５のみを用いた濾過器１により原水を高効率で濾過できる上、ミネラル濾材５１のみを用いた濾過器１Ｄによりミネラル成分を高効率で添加できるようになる。
【００５４】
なお、本変形例では、濾過器１Ｄは複数段に重ねて用いてもよく、その場合はミネラル成分の添加効率をさらに高めることができる。
【００５５】
以上、本発明の好適な実施形態について説明したが、本発明は上記実施形態には限定されず、種々の変形が可能である。たとえば、上記各実施形態では、容器体を中空円錐状に形成したものを例示したが、これに限ることなく、図９に示すように、正面視で台形状となるとともに側面視で三角形状となるように形成した容器体４Ｅを、内側フィルター２と外側フィルター３とで二重壁構造に形成し、その二重壁内に濾過材５を充填して形成した濾過器１Ｅを用いてもよい。また、容器体を円錐台形状に形成したものを用いることも可能である。このような形状としても、側面がテーパ状に形成されているため、複数の容器体を容易に重ねることができる。
【００５６】
さらに、側面がテーパ状に形成されていない容器体を用いることも可能である。
【符号の説明】
【００５７】
１、１Ａ、１Ｂ、１Ｃ、１Ｄ、１Ｅ  濾過器
２  内側フィルター
３  外側フィルター
３ａ  外側フィルターの外周部
４、４Ｅ  容器体
４２  開放口
５、５Ｃ、５Ｄ  濾過材
５１  ミネラル濾材
５２  浄水用濾材
７  タブ
Ｓ  密閉空間
【図１】
2011036753.tif 000003
【図２】
2011036753.tif 000004
【図３】
2011036753.tif 000005
【図４】
2011036753.tif 000006
【図５】
2011036753.tif 000007
【図６】
2011036753.tif 000008
【図７】
2011036753.tif 000009
【図８】
2011036753.tif 000010
【図９】
2011036753.tif 000011